(57)【要約】      （修正有）【課題】自動車等のシート（座席）位置を把握して目印となるシートポジションステッカーを提供する。【解決手段】剥離紙２に貼付された一対の三角形状であるシートポジションステッカー１であって、角部を対向するように配置され、表面の表示部に剥離表示５及び一部端に角縁方向に向かって指し示す矢印表示４を設けかつ正位置の文字列を記載し、裏面に粘着層及び剥離部を有する構成。貼付しやすく剥がし易くかつ見やすく使い勝手の良さを向上させた。シートの移動後に、そのシートポジションステッカーを目印として元の正確な位置を確認でき、シートを正確な位置に戻すサービスに使用する。【選択図】図１
0003148353.tif 000002
【実用新案登録請求の範囲】
【請求項１】
剥離紙（２）に貼付された一対のシートポジションステッカー（１）であって、前記シートポジションステッカー（１）は、表面に表示部（３）、裏面に粘着層（６）及び一部端に剥離部（７）を有する構成であり、前記表示部（３）に剥離表示（５）を設けたことを特徴とするシートポジションステッカー。
【請求項２】
剥離紙（２）に貼付された一対のシートポジションステッカー（１）であって、貼付された一対の位置は、自動車のシートと車内の不動部に貼付する位置に相応しかつ対向するように配置され、前記シートポジションステッカー（１）は表面に表示部（３）、裏面に粘着層（６）及び一部端に剥離部（７）を有する構成であり、前記表示部（３）に剥離表示（５）及び一部端に縁方向に向かって指し示す矢印表示（４）を設けたことを特徴とするシートポジションステッカー。
【請求項３】
前記シートポジションステッカー（１）が三角形状又は矢印形状であることを特徴とする請求項１〜請求項２のいずれかに記載のシートポジションステッカー。
【請求項４】
前記表示部（３）の全部又は一部が蛍光材或は耐水加工したことを特徴とする請求項１〜請求項３のいずれかに記載のシートポジションステッカー。
【請求項５】
前記表示部は、一対のシートポジションステッカー（１）とも、文字列を正位置で記載したことを特徴とする請求項１〜請求項４のいずれかに記載のシートポジションステッカー。
【請求項６】
前記シートポジションステッカー（１）の全部又は一部に肉厚部又は突起部を設けたことを特徴とする請求項１〜請求項５のいずれかに記載のシートポジションステッカー。
【請求項７】
剥離紙（２）に貼付された一対の三角形状であるシートポジションステッカー（１）であって、剥離紙（２）に貼付された一対の位置は、自動車のシートと車内の不動部に貼付する位置に相応してそれぞれの一角部を対向するように配置され、前記シートポジションステッカー（１）は表面に表示部（３）、裏面に粘着層（６）及び一部端に剥離部（７）を有する構成であり、
前記表示部（３）に剥離表示（５）及び一部端に角縁方向に向かって指し示す矢印表示（４）を設けかつ正位置の文字列を記載し、前記裏面の剥離部（７）は、前記表面の剥離表示（５）より大きな幅に形成してあり、シートと車内の不動部にシートの当初位置を示す矢印表示（４）を対向するように貼付し、シートの移動後にシートポジションステッカー（１）を当初位置にあわせてシートを戻し、シートポジションステッカー（１）を剥離して、シートを当初のシート位置に復帰するガイドをすることを特徴とするシートポジションステッカー。
【考案の詳細な説明】
【技術分野】
【０００１】
本考案は、自動車等のシート（座席）の移動前に、そのシート位置をチェックしておき、シートを当初のシート位置に復帰するガイドをするシートポジションステッカーに関する。
シート（座席）の移動後に、そのシートポジションステッカーを目印として元の正確な位置を確認（把握）でき、シートを正確な位置に戻すサービスに使用する。
【背景技術】
【０００２】
自動車のシート位置は、ドライバーによって、適正位置があり、また高速道路運転か、街中運転かで、シート位置が異なり、日常的に修正を加えて乗車している。
又、例えば、ガソリンスタンドでの洗車を依頼する場合、カーナビ等の自動車のアクセサリーを取り付ける場合、車検を行う場合、故障箇所を修理する場合、家族や友人に貸す場合など自動車を日常の使用者以外の他人が運転する機会は多々あることが実情である。
その度に、ドライバーごとにシート位置を修正することが必要である。
特に、ガソリンスタンドのサービスマンは、洗車等のサービスをする場合に洗車場に移動運転するがその時にシートを移動することがあり、作業完了後に、シートを正しく元の位置に戻しておくサービスを提供することが好ましい。
【０００３】
自動車は基本的に所有者や関係者が運転を行い、そして運転時のシート（座席）位置を、乗車時点で決めて、運転する。
ドライバーは一定の範囲の者で、日々ドライバーを変更するという利用法は案外少ない。
そして普段運転を行っているシート（座席）位置は、ドライバー本人の座席位置（オリジナルポジション）であることが通常である。
自動車の運転を行うシート位置は、普段何気なしに運転している違和感のない感覚（本人の座席位置）で行うことが安全であり、快適である。
【０００４】
しかし、日々使用する自動車を、他人に自動車を貸す或いは預ける場合など、わずかな時間でもシート位置の変更がなされることがある。
ガソリンスタンドなどで、数分の洗車のために自動車を洗車機コーナーに移動する場合等、預かったサービスマンは自分の運転しやすい位置にシート（座席）を移動させる。
サービスマンの立場では、作業の安心・安全を考慮すれば当然である。
しかし、この時シート（座席）を移動する際に預かった時点でのシート（座席）の位置を確認（把握）し記憶・記録する作業は、結構業務量が多くなる。
【０００５】
そこで、ドライバーやサービスマンが行うシート移動作業の軽減のために、機械的制御や電子的制御で、自動車のシート（座席）自体にシートポジションを調整する機能を有する装置として、位置記憶装置や自動復帰機構などが開発されており、その構成に関する技術は多数知見できる。（特許文献１参照。）
【０００６】
【特許文献１】実開昭６３−１５４３３５号公報
【０００７】
しかし、実開昭６３−１５４３３５号公報のような機能を備えた装置が装備されている自動車は、そのオプション費用を要するし、また、原則的に自分でシート位置復帰のための動作（機械的指示やシート移動）をすることが必要である。
しかも、車種やシート（座席）の個別オーダーなどによってシートポジションを調整する手段が異なり、シートポジションを調整する手段は様々であるので、
一時的に預かったガソリンスタンドのサービスマン側で、全部のシート制御機構に精通して、自動車の降車時に、シートを復帰させる装置を作動させる作業をすることは難しい。
【０００８】
自動車を預かった者が余計な操作を行うことに関して不快に感じる自動車の所有者も当然いる。サービスマンはなるべく短時間の乗車で済ませ、不必要に触れられることに対する不快感を与えないほうが好ましい。
【０００９】
このような現状において、他人の自動車を一瞬でも運転する場合、自動車のそのドライバーの座席位置（オリジナルポジション）の正確な把握や記録は、簡便には行えない実情がある。
【考案の開示】
【考案が解決しようとする課題】
【００１０】
自動車シートの移動前の位置を、目印で表示しておき、移動後に元の位置に復帰するための目印となる目印アイテムを提供することが課題であり、解決しようとする問題点は、以下の通りである。
（１）その時点での、シート（座席）の正確な位置を確認（把握）できる表示具の開発を課題とする。単に目印となる接着付箋やピンの差し込みでは
後始末にかえって手間取ることになる。
（２）表示具は、シート（座席）の形状や設置状況などに左右されず全ての自動車等のシート（座席）に使用できる簡易な構成で、使い捨てできる構成の表示具の開発を課題とする。
利用できる自動車シート等の素材で、使用の適否がないように付着性を適正化して、実用性を高める。
（３）表示具は、視認性が良く、付きやすく剥がしやすいものとすること。
洗車や掃除など、暗所や水などの液体や掃除吸引機を使用する場面での使用が多く想定されるため耐水性のある素材や目立つ素材で、自然脱落しない付着性とすることを課題とする。
（４）構造や使用方法が複雑でなく、廉価に提供できることを課題とする。
（５）表示具は、シート復帰後は使い捨てでも良いが、付着したままでの運転中や暗所でも、シート（座席）の正確な位置を確認（把握）できるようにすることが好ましい。
このような課題の具体的解決と、経済的に見合う製造コストで商品化が可能な構成が課題である。
【課題を解決するための手段】
【００１１】
本考案は、上記の課題を解決するもので、表示具として、自動車用のシート（座席）の正確な位置を確認（把握）することができ、自動車等のシート（座席）の移動前に、そのシート位置をチェックしておき、シートを当初のシート位置に復帰するガイドをするシートポジションステッカーを提供する。
【００１２】
ここに、本考案は、剥離紙（２）に貼付された一対の、全体を三角形状或いは矢印形状であるシートポジションステッカー（１）であって、剥離紙（２）に貼付された一対の位置は、自動車のシートと車内の不動部に貼付する位置に相応してそれぞれの一角部を対向するように配置され、前記シートポジションステッカー（１）は表面に任意の形状や模様・記号・文字を表した表示部（３）、裏面に剥離可能な粘着層（６）及び一部端に無粘着部である剥離部（７）を有する構成であり、前記表示部（３）に剥離ガイドとなる剥離表示（５）及び一部端に角縁方向に向かって指し示す矢印表示（４）を設け、かつ正位置の文字列を記載し、前記裏面の剥離部（７）は、前記表面の剥離表示（５）より大きな幅に形成してあり、シートと車内の不動部にシートの当初位置を示す矢印表示（４）を対向するように貼付し、シートの移動後にシートポジションステッカー（１）を当初位置にあわせてシートを戻し、シートポジションステッカー（１）を剥離して、シートを当初のシート位置に復帰するガイドをすることを特徴とするシートポジションステッカーである。
【００１３】
一対のシートポジションステッカー（１）は、一枚の剥離紙（２）に対で多数設けられる。
対とは、形状が同じもの２枚で構成されるとか、各々は凹凸の形状の２枚とかで、模様が同じの２枚とかで、対の関係になるものである。
【００１４】
一対のシートポジションステッカー（１）は、例えば自動車のシート位置を印すときは、一方のシートポジションステッカー（１）をシート（１０）に付着し、一方のシートポジションステッカー（１）をドアの下に位置する車内のステップバー（１１）に付着して使用される。
付着位置は、シート（１０）の最初の所定位置を表示するために、ステップバー（１１）の任意に位置（不動側）に貼付し、ついで、それに対向する箇所でシート（１０）の側面等の位置（移動側）に貼付する。
シート（１０）が移動しても、ステップバー（１１）に貼付したシートポジションステッカー（１）は移動しないので、ここにシート（１０）側のシートポジションステッカー（１）を戻すように合わせて移動することで、シート（１０）は、元の位置に戻ることになる。
シートポジションステッカー（１）は、紙製で耐水加工した平坦であるもの、全部又は一部に肉厚部又は突起部を設けた凹凸のあるもの、蛍光材や発光素材で見やすくしたものなどに展開できる。
【００１５】
シートポジションステッカー（１）の形状は、全体を三角形状にし、矢印表示（４）を設けた構成や、全体を矢印形状のシートポジションステッカー（１）とする構成が、対向位置として合わせ易く且つシート（１０）位置を確認しやすい。
【００１６】
シートポジションステッカー（１）は、小さい紙片であり、軽量であるので貼付や剥離も容易である。
裏面を平面にするとともに、柔軟であるので使用箇所の形状や貼付する箇所の材質に影響されることなく貼付し剥離できる。
しかし、対の関係が明確でない例えば、１枚の普通の付箋（接着紙片）を貼り付けることで代用できるかといえば、その構成では位置の把握と表示は難しい。
対であることを明確にする表示部があって、対での使用の仕方が容易に直感できる構成であり、かつ剥離でき、コストが低廉であることが必要である。
表示部は、一対のシートポジションステッカー（１）とも、貼付された状態で文字列を上下正位置で記載しており、どちらのシートポジションステッカー（１）に記載された表示をすぐに読み取ることができる。
【００１７】
シートポジションステッカー（１）は、紙製に限定されるものではないが、表面を光沢合成樹脂加工された合成紙などが、防水耐水性にすぐれ、見た目も綺麗である。
一旦貼付して使用した後は、接着剤が付着することなく、すっかり剥がれることも重要である。
ガソリンスタンドでは、手袋での作業や、洗車の作業の中で、使用されるので、取り扱い易さが大切である。
裏面に粘着層（６）及び一部端に無粘着の剥離部（７）を有する構成であるが、剥離部（７）を、表面の剥離表示（５）の表示面積より大きな面積と幅で形成して、剥離の際の手がかりを大きくしていて、はがし易い構成になっている。
裏面には、自然脱落しない程度の面積で、再粘着・再剥離タイプの粘着層（６）が形成される。
【考案の効果】
【００１８】
この目的のため及び前記課題を解決するため、本考案は前記の構成であり、次の技術的効果がある。
Ａ：一対のシートポジションステッカー（１）を、移動側（シート）と不動部の固定側（ステップバー）に対向させて貼付するので、シート（１０）のオリジナルポジション（本人の座席位置）を固定側のシートポジションステッカー（１）で正確に確認（把握）できる。
表示部の文字は、上下正位置の文字列を記載しているので、直感的に判読できる。
Ｂ：自動車や自動車のシート（座席）にもともと備えられている装置や機械的電磁的なものではなく、使用時に接着、使用後に剥離をおこなう表示具＝シートポジションステッカー（１）であるため全ての自動車等のシート（座席）に使用できる。
Ｃ：小さい紙片で、コストが安いので、使用後は使い捨てができる。
移動側のシートと不動固定側のステップバーなどの対向位置に、張るだけであるので、自動車を汚すこともない。
Ｄ：シートポジションステッカー（１）の素材や、構造を工夫することで、単に位置合わせをするほかに、ドライバーの視認や触覚で、シートポジションの適正を認識させ安心感を与えることができる。
例えば、蛍光材加工や、表面に凹凸を形成して、蛍光視認や、手で触ることで、運転中や暗所でもシート（座席）の正確な位置を確認（把握）できるようにした。
Ｅ：全体形状がシンプルで、剥離部の形成が簡単であるため、製造工程で複雑な行程を必要とせず廉価に大量生産が可能である。
【００１９】
さて、前記したとおり、自動車のシート（座席）位置を確認するこの種の貼付製品の開発に関しましては、出願人は知見していない。
１枚の普通の付箋を貼り付けることで代用できるかといえば、その構成では実用的ではない。
【００２０】
本考案のシートポジションステッカー（１）を使用すれば、例えばガソリンスタンドでの洗車においてお客様から自動車を預かりガソリンスタンドサービスマンが洗車機まで移動運転を行う場合でも、当初のシートの位置を示すために、シートの側面とステップバーの両方にシートポジションステッカー（１）を対で貼付しておけば、返却時にシート（座席）の位置を簡便に確認することができ預かった時の状態のシート（座席）位置に戻し、返却できる。
顧客の目の前で、シートを戻して返却する姿勢は、安全運転へのこころ配りを具体的な形として表現できる。
【００２１】
自動車や自動車のシート（座席）にもともと備えられている装置や機械的電磁的なものではなく、使用時に粘着、使用後に剥離をおこなう表示具であるため全ての自動車等のシート（座席）に使用できる。
シートポジションステッカー自体が小さなものであるので、小さな細備品であり、どのような車種やシート（座席）にも適応でき、かつ邪魔にならない。
自動車の運転を行う場合は、普段何気なしに使用している感覚（本人の座席位置）で行うことが安全であり快適であり、シート（座席）が普段と異なることなく、違和感を覚えずに、着座できることは、安全運転に寄与することになる。
【００２２】
使い捨てではあるが、車内に貼付するので、芳香材で形成するとか、除虫材で作成するなどの展開は、出願人の企図するところである。
シートポジションステッカーは、一旦貼付すれば、摩擦などもない個所であるので、少なくとも不動側（固定側）のステップバーに貼ったものは剥がれることはまずない。
【考案を実施するための最良の形態】
【００２３】
図１に示すように、剥離紙（２）に貼付された一対の、全体を三角形状としたシートポジションステッカー（１）であって、剥離紙（２）に貼付された一対の位置は、自動車のシートと車内の不動部（位置固定側）に貼付する位置に相応してそれぞれの一角部を対向するように配置されている。
前記シートポジションステッカー（１）は表面に任意の形状や模様・記号・文字を表した表示部（３）が形成される。図では前記表示部（３）に「Ｓｅａｔ  ｐｏｓｉｔｉｏｎ」の文字、剥離ガイドとなる小さな三角形の剥離表示（５）及び一部端に角縁方向に向かって指し示す矢印表示（４）を設けている。
【００２４】
裏面には、剥離可能な粘着層（６）及び一部端に無粘着部である剥離部（７）を有する構成であり、前記裏面の剥離部（７）は、前記表面の剥離表示（５）より大きな幅に形成してある。
【００２５】
シートポジションステッカー（１）は、自動車のシートを当初のシート位置に復帰するガイドをする。
このシートポジションステッカー（１）を、シートと、車内の不動部であるステップバー等に、シートの当初位置を示す矢印表示（４）を対向するように貼付する。
そして、洗車等のためにシートを移動して運転した後に、降車するときにシートポジションステッカー（１）を当初位置にあわせてシートを戻す。
次にシートポジションステッカー（１）を剥離する。
シートは、当初のシート位置に復帰する。
【００２６】
具体的に説明すると、ガソリンスタンド等の洗車サービスでの状況で使用する場合、まず、サービス提供者がお客様の自動車に乗車する前にお客様の座席位置を確認（把握）するため、本考案のシートポジションステッカー（１）をシート（１０）に一枚と残り片方をステップバー（１１）に矢印表示（４）が向かい合うように貼付する。
洗車を行い終了後、お客様に自動車を返却する際にシートポジションステッカー（１）により把握したシート（１０）位置＝本人の座席位置に戻し、シートポジションステッカー（１）をシート（１０）、ステップバー（１１）より剥がしてサービスの終了とする。
希望があれば貼付したままシートポジションステッカー（１）自体を提供することもできる。選択可能である。
【００２７】
シートポジションステッカー（１）に使用する素材は、紙製である。
撥水加工や耐水加工された紙のほか、耐水スプレーを塗布する手段等でもよい。
なお合成樹脂製でもよく、合成樹脂は塩化ビニール、ポリエステル、ユポ（登録商標）などの耐水性のある合成樹脂を使用する。
素材については、表示部の全部又は一部を蛍光材で作成して、暗所作業をし易くすることもできる。
又、手の感触だけで、シートポジションの適否が触感できるように、シートポジションステッカー（１）に厚みを持たせる構成や、全部又は一部に肉厚部又は突起部を設けることも有効な考案である。
【実施例１】
【００２８】
本考案に係るシートポジションステッカーの実施例１について説明する。
図１は、本考案に係るシートポジションステッカーの実施例１を示すものでシートポジションステッカー（１）を１対＝１セットとした場合の正面図である。
図２は、本考案に係るシートポジションステッカーの実施例１を示すもので、表面図と裏面図である。
図３は、同じく、本考案に係るシートポジションステッカーの実施例１を示す説明図である。
【００２９】
図１は剥離紙（２）に貼付した上下２枚＝１セットのシートポジションステッカー（１）である。
シートポジションステッカー（１）を正三角形とし、正三角形の頂点付近の一部に矢印表示（４）、異なる頂点付近に剥離表示（５）を設けた構成である。
剥離紙（２）に貼付された一対の、全体を正三角形状としたシートポジションステッカー（１）であって、剥離紙（２）に貼付された一対の位置は、自動車のシートと車内の不動部（位置固定側）に貼付する位置に相応してそれぞれの一角部を対向するように配置されている。
【００３０】
前記シートポジションステッカー（１）は表面に任意の形状や模様・記号・文字を表した表示部（３）が形成されるが、実施例１では前記表示部（３）に「Ｓｅａｔ  ｐｏｓｉｔｉｏｎ」の文字、異なる角部に剥離ガイドとなる小さな三角形の剥離表示（５）及び一部端に角縁方向に向かって指し示す矢印表示（４）を設けている。
ここで、重要なことは。文字を使用する場合の、文字列が、単にその文字が記載されているものではなく、読み取れる方向に文字列を配置している点である。
つまり、「Ｓｅａｔ  ｐｏｓｉｔｉｏｎ」の文字は、２段に印刷されているが、
いずれも上方に「Ｓｅａｔ」を配置し、下段に「ｐｏｓｉｔｉｏｎ」の文字を配置している。
表示部（３）は、一対のシートポジションステッカー（１）とも、貼付された状態で文字列を上下正位置で記載している。
つまり、これを自動車シートやステップバーに移した場合、その文字は正位置で、容易に読めるように、予め文字の位置を貼る位置に合わせて形成している。
前記した、「正位置の文字列を記載し」とは、予め文字の位置を貼る天地方向に合わせて記載している意味である。
文字列の記載は「ドライバーズポジション」「お客様のシート位置」「シートポジション」などのほか、「人が座った図柄」などでもよく、上下正位置であることがたいへん有意義である。
【００３１】
裏面には、剥離可能な粘着層（６）及び一部端に無粘着部である剥離部（７）を有する構成であり、前記裏面の剥離部（７）は、前記表面の剥離表示（５）より大きな幅に形成してある。
【００３２】
シートポジションステッカー（１）の形状は指し示す方向がわかるような三角形や矢印形状が好ましい。
円形状、矩形四角形状など問わないが表示部（３）には矢印表示（４）や突起を設けシート（座席）位置を指し示す方向が正確に把握できる構成が好ましい。
シートの前後位置は、数ｍｍ異なっても違和感があるからである。
【００３３】
実施例１では、表示部（３）に矢印表示（４）、剥離する位置を指すガイドである剥離表示（５）及び「Ｓｅａｔ  ｐｏｓｉｔｉｏｎ」の語句を２段に併記した。
図１では矢印表示（４）としているが、目印となるものであれば表示するものは問わないが、矢印表示（４）と剥離表示（５）は異なる形状が望ましい。
表示部（３）に表示される文字等は、会社名、住所、連絡先、ロゴ、商標など様々に表示可能であり、広告・宣伝としての機能の付加も可能である。
【００３４】
図２は本考案のシートポジションステッカー（１）の裏面と表面を示すもので粘着層（６）と一部端に剥離部（７）を設けた構成を示している。
粘着層（６）は三角形状、剥離部（７）は帯状である。
剥離部（７）を帯状に残すことは、製造上簡便である。
粘着層（６）の面積は剥離部（７）の面積よりも広く設け、剥離表示（５）の形状とは異なり帯状とし面積を広く設けることにより作業中でも容易に剥がせる構成とした。
【００３５】
図３は、実施例１のシートポジションステッカー（１）を、一対使用して、ステップバー（１１）とシート（１０）とにシートポジションステッカー（１）を貼付した状態の一部拡大説明図である。
剥離紙（２）に貼付された一対のシートポジションステッカー（１）の位置は、自動車のシートと車内の不動部（位置固定側）に貼付する位置に相応してそれぞれの一角部を対向するように配置されている。
この一対のシートポジションステッカー（１）をそのまま剥がして、ドライバーのシート（１０）の位置を特定し確認するために、不動側のステップバー（１１）と、移動側のシート（１０）とに、対向させて、矢印表示（４）を合わせて、貼り付ける。
図３は、ステップバー（１１）とシート（１０）とに貼った一対のシートポジションステッカー（１）が、矢印表示（４）を合わせて対向している状態を示しており、当初のシート（１０）の位置を示す。
【００３６】
図中のシート（１０）の下にある矢印は座席の移動方向を示している。
シート（１０）は通常前後に移動するので、ドライバーが変わるとシート（１０）は、ドライバーに合わせて前後に移動してしまう。
その移動は、矢印表示（４）の不一致に表されるので、これを一致させるだけで、元の位置に復元できる。
【００３７】
シートポジションステッカー（１）は、貼付しやすく剥離しやすいもので、貼付・剥離を複数回可能な粘着剤を使用している。
実施例１のシートポジションステッカー（１）は、使い捨ての使用を想定している。
同じシートポジションステッカー（１）の１セットの使用で数十回貼付・剥離する粘着層は想定していない。
反復使用を必要とする場合は、ピンや磁石タイプや吸盤タイプなども考えられるが、自動車のシートは布や皮製であるので設置個所を制約されるため不向きである。
【００３８】
シートポジションステッカー（１）の裏面の粘着層（６）と剥離部（７）の境界には、特に点線などや折り目を設けてはいないが、表面の剥離表示（５）より裏面の剥離部（７）の面積を大きくしているので、剥がし易い印象があり、
貼付・剥離を容易におこなえる構成である。
【実施例２】
【００３９】
図４は、本考案に係るシートポジションステッカーの実施例２を示すもので裏面の正面図である。
特に、剥離部（７）の形状例を示すものである。
本考案のシートポジションステッカー（１）の裏面に粘着層（６）と一部端に剥離部（７）を設けた構成で、粘着層（６）は台形に近い形状、剥離部（７）は三角形状とした。
表面の剥離表示（５）より裏面の剥離部（７）の面積を若干大きめの構成とした。
剥離部（７）の形状は容易に剥がせるようなで形状あり表面の剥離表示（５）と重なる裏面に設ける。
【実施例３】
【００４０】
図５は本考案に係るシートポジションステッカー矢印型の実施例３を示す斜視図である。
シートポジションステッカー（１）は、立体形状に作成され、その全体形状が矢印形状で、後端に指先がかかる剥離部（７）を形成している。
一対で対向して剥離紙（２）に貼られている。
剥離紙（２）に貼付した２枚＝１対（１セット）のシートポジションステッカー（１）は、厚さがある立体形状である。
【００４１】
表示部（３）に剥離表示（５）及び蛍光材を使用した「Ｓｅａｔ  ｐｏｓｉｔｉｏｎ」の語句を２段に併記している。
蛍光材を使用することで暗所での作業でも少しの光に蛍光材使用箇所が反射しシートポジションステッカー（１）の位置が確認できる。全部に蛍光材や蓄光材を使用してもよい。
シートポジションステッカー（１）は、立体的で、後端部に剥離部（７）を設けていて、シートの位置確認と移動修正の際の作業効率を考慮して取り扱い易く構成したものである。
【００４２】
因みに、蛍光材、肉厚、突起を設けた構成とすることにより、運転中や暗所でもシート（座席）の正確な位置を確認（把握）できるものとなる。
例えば蛍光材として、蛍光塗料・蓄光塗料などを利用するが、市販のものでは、ターナー（登録商標）やリキテックス（登録商標）がある。
【００４３】
前記実施例３の立体型のシートポジションステッカー（１）の肉厚は、５ｍｍ程度である。
感触で認知したい要請がある場合は、紙片の全部又は一部に高さ１ｍｍ〜５ｍｍ以上の肉厚部又は突起部を設けた構成にしてもよい。
運転中において、シート（座席）位置確認をおこなう必要があるときは、肉厚又は突起を有するシートポジションステッカーは有効である。
肉厚部又は突起部を設けたシートポジションステッカーを使用することにより手探りでシート（座席）の正確な位置を確認（把握）できる。
シートポジションステッカー（１）の一部を突起部として設ける構成では、その突起物を取っ手にするとか、立体キャラクターにするとかの構成も提案できる。
【００４４】
シートポジションステッカーの貼付位置は特に限定されず、不特定の場所に貼付できる。
シート（座席）に１枚を貼付し、もう一枚をステップバーやドアやドアとシート（座席）の間の部分に貼付する。
できれば、片手でシート（座席）位置をシートポジションステッカーの有する肉厚又は突起に触ることができて位置把握ができるように貼付する。
この場合はシートポジションステッカーを貼付時にあらかじめ片手で行える範囲であるかどうかを確認しておくことが望ましい。
【００４５】
蛍光材或は発光材で作成した場合、暗所でも確認でき把握できる。
例えば「Ｓｅａｔ  ｐｏｓｉｔｉｏｎ」の文字列と矢印表示を蛍光材で形成して、その部分のみが光に反射して明確に確認できるなどのデザイン的変化を作成することができる。
【００４６】
図６は本考案に係るシートポジションステッカーの実施例１を示すもので１０セット（１０対）に配置した場合の正面図である。
１シートのサイズは１５０ｍｍ×１００ｍｍとしている。
シートポジションステッカー（１）は、１辺２５ｍｍの正三角形であり、光沢紙を素材として、表示部（３）の矢印表示（４）を対向させて、対で設けている。
この位置のままで剥がして貼付するだけで、一対のシートポジションステッカーでオリジナルポジション（本人の座席位置）を正確に記録できる。
上下２枚＝１セットであるので、１シート＝１０セット（２０枚）に使用できる。
【００４７】
以上の実施例はあくまで一例であり、寸法、素材、形状などはこれに厳密に限定されるものではない。
材質の変更、寸法変更などは、本考案者が予想する設計変更事項である。
【産業上の利用可能性】
【００４８】
本考案に係るシートポジションステッカーは、主としてガソリンスタンドにおける洗車等のサービスの際に、シート位置の確認をサービスする場合のアイテムとして利用するものである。
サービス提供者が自動車の運転者に対し安全な運転と細心の注意を心がけていることをアピールでき、最終的にドライバーの傍に行って、ひざまずき座席位置確認後、シートポジションステッカー剥がして、最後のサービスを行うための製品である。
このわずかな時間とサービスマンの姿勢で、安全に関するアドバイスができ、安全運転に大きな寄与ができるものである。
シートポジションステッカーは、位置を合わせるものなので、ドライバーシートのみならず、助手席のシート合わせや、その他の位置合わせにも利用できる。
【図面の簡単な説明】
【００４９】
【図１】本考案に係るシートポジションステッカーの実施例１を示すもので、剥離紙に一対（１セット）のシートポジションステッカーを設けたものの正面図である。
【図２】同じく本考案に係るシートポジションステッカーの実施例１を示すもので、一片のシートポジションステッカーの裏面図及び正面図である。
【図３】本考案に係るシートポジションステッカーの実施例１を用いて、自動車のシート位置を修正することを示す説明図である。
【図４】本考案に係るシートポジションステッカーの実施例２を示すもので、剥離部の形状の異なる例を示す、裏面図である。
【図５】本考案に係るシートポジションステッカーの実施例３を示す斜視図であって、シートポジションステッカーが立体或は肉厚な材料で作成され、その全体形状が矢印形状で、後端に指先がかかる剥離部を形成したものを示している。
【図６】本考案に係るシートポジションステッカーの実施例１を示すもので１０セットとしたシートタイプの正面図である。
【符号の説明】
【００５０】
１    シートポジションステッカー
２    剥離紙
３    表示部
４    矢印表示
５    剥離表示
６    粘着層
７    剥離部
１０  シート（座席）
１１  ステップバー
【図１】
0003148353.tif 000003
【図２】
0003148353.tif 000004
【図３】
0003148353.tif 000005
【図４】
0003148353.tif 000006
【図５】
0003148353.tif 000007
【図６】
0003148353.tif 000008